(57)【特許請求の範囲】
【請求項１】
光源からの光を第一の測定光とし、被検眼の網膜に照射された該第一の測定光による第一の戻り光の強度により、前記被検眼の前記網膜の第一の画像を撮像する第一の撮像部を有する光画像撮像装置であって、
前記被検眼が注視するための固視灯と、
モニターに表示された固視灯設定画面の指示された位置に対応する前記固視灯の点灯位置を設定する点灯位置設定手段と、を有し、
前記固視灯設定画面は、
碁盤目状の線で構成され、該線の間隔が角度もしくは長さを単位とする前記被検眼の前記網膜上での間隔から選択できることを特徴とする光画像撮像装置。
【請求項２】
前記モニターに表示された前記固視灯設定画面に付加されたタブの切替えに応じて、前記線の間隔を選択することを特徴とする請求項１に記載の光画像撮像装置。
【請求項３】
光源からの光を第二の測定光とし、前記被検眼の前記網膜に照射された該第二の測定光による第二の戻り光の強度により前記第一の画像より広い画角の前記被検眼の前記網膜の第二の画像を撮像する第二の撮像部をさらに有し、
前記点灯位置設定手段は、前記固視灯の点灯位置を、前記モニターに表示された前記第二の画像の指示された位置に対応する前記固視灯設定画面の前記固視灯の点灯位置に更新する
ことを特徴とする請求項１又は２に記載の光画像撮像装置。
【請求項４】
前記第一の画像と前記第二の画像との少なくともいずれか一つを、
前記固視灯設定画面の前記固視灯の点灯位置とともに前記モニターに表示することを特徴とする請求項１乃至３の何れか１項に記載の光画像撮像装置。
【請求項５】
光源からの光を第一の測定光とし、被検査物である被検眼の網膜に照射された該第一の測定光による第一の戻り光の強度により前記被検眼の前記網膜の第一の画像を撮像する第一の撮像部と、
光源からの光を第二の測定光とし、前記被検眼の前記網膜に照射された該第二の測定光による第二の戻り光の強度により前記被検眼の前記網膜の第二の画像を撮像する第二の撮像部と、
前記被検眼が注視するための固視灯と、
モニターに表示された固視灯設定画面の指示された位置に対応する前記固視灯の点灯位置を設定する点灯位置設定手段と、を有し、
前記固視灯設定画面は、
碁盤目状の線で構成され、該線の間隔が角度もしくは長さを単位とする前記被検眼の前記網膜上での間隔から選択できることを特徴とする光画像撮像装置。
【発明の詳細な説明】
【技術分野】
【０００１】
本発明は、眼科診療等に用いられる光画像撮像装置に関するものである。
【背景技術】
【０００２】
共焦点レーザー顕微鏡の原理を利用した眼科装置である走査型レーザー検眼鏡（ＳＬＯ：Ｓｃａｎｎｉｎｇ  Ｌａｓｅｒ  Ｏｐｈｔｈａｌｍｏｓｃｏｐｅ）は、測定光であるレーザーを眼底に対してラスタースキャンを行い、その戻り光の強度から平面画像を高分解能かつ高速に得る装置である。
【０００３】
以下、このような平面画像を撮像する装置をＳＬＯ装置と記す。
【０００４】
近年、ＳＬＯ装置において測定光のビーム径を大きくし、測定光が眼底上により微小なスポットになるようにすることにより、横分解能を向上させた眼底の平面画像を取得することが可能になってきた。しかし、測定光のビーム径の大径化に伴い、眼底の平面画像の取得において、被検眼にて発生する、測定光やその戻り光の収差による平面画像のＳＮ比及び分解能の低下が問題になってきた。
【０００５】
それを解決するために、被検眼による収差を波面センサでリアルタイムに測定し、被検眼にて発生する測定光やその戻り光の収差を波面補正デバイスで補正する補償光学系を有する補償光学ＳＬＯ装置（以下、ＡＯＳＬＯ装置）が開発され、高横分解能な平面画像の取得を可能にしている。眼底被検眼の所望の位置を撮像する場合、被検眼を固視するための固視灯がよく用いられる。特許文献１においては、眼底の画像の所望の位置を指定して、固視灯の投影位置を変更することで、容易に所望の位置の眼底画像を取得することが試みられている。
【先行技術文献】
【特許文献】
【０００６】
【特許文献１】特開２００７−２７５３７４号公報
【発明の概要】
【発明が解決しようとする課題】
【０００７】
上記特許文献１の眼科装置は、上記したように、眼底の画像の所望の位置を指定して、固視灯の投影位置を変更することで、容易に所望の位置の眼底画像を取得することが可能とされている。
しかしながら、特許文献１においては、眼底上の詳細な位置設定や、他の測定機器との関連付けに関しては、言及されていない。
本発明は、上記課題に鑑み、被検査物である眼底の所望の位置における、高横分解能な平面画像を簡便に眼底撮像することが可能な装置を提供することを目的とする。
【課題を解決するための手段】
【０００８】
本発明の光画像撮像装置は、光源からの光を第一の測定光とし、被検眼の網膜に照射された該第一の測定光による第一の戻り光の強度により、前記被検眼の前記網膜の第一の画像を撮像する第一の撮像部を有する光画像撮像装置であって、前記被検眼が注視するための固視灯と、モニターに表示された固視灯設定画面の指示された位置に対応する前記固視灯の点灯位置を設定する点灯位置設定手段と、を有し、前記固視灯設定画面は、碁盤目状の線で構成され、該線の間隔が角度もしくは長さを単位とする前記被検眼の前記網膜上での間隔から選択できることを特徴とする。
【発明の効果】
【０００９】
本発明は、上記課題に鑑み、被検査物である眼底の所望の位置における、高横分解能な平面画像を簡便に撮像する眼底光画像撮像装置を実現することができる。
【図面の簡単な説明】
【００１０】
【図１】本発明の実施例におけるＳＬＯ装置の全体の構成について説明する図である。
【図２】本発明の実施例におけるＳＬＯ装置の光学系の構成を説明する図である。
【図３】本発明の実施例におけるＳＬＯ装置の測定光の波長分布を説明する図である。
【図４】本発明の実施例におけるＳＬＯ装置による撮像手順を説明する図である。
【図５】本発明の実施例におけるＳＬＯ装置の制御ソフト画面の構成を説明する図である。
【図６】本発明の実施例におけるＳＬＯ装置の画像閲覧ソフトの画面の構成を説明する図である。
【発明を実施するための形態】
【００１１】
本発明を実施するための形態を、以下の実施例により説明する。
【実施例】
【００１２】
本発明の実施例について説明する。
【００１３】
［実施例１］
実施例１においては、光画像撮像装置として、本発明を適用したＡＯＳＬＯ装置について説明する。該ＡＯＳＬＯ装置は、補償光学系を備え、網膜の高横分解能の平面画像（ＡＯＳＬＯ像）の撮像を行う装置である。また、ＡＯＳＬＯ像の取得を補助する目的で、広画角の平面画像（ＷＦＳＬＯ像）の撮像を行うＷＦＳＬＯ装置、測定光の入射位置を把握するための前眼部観察装置、および撮像箇所を調整するために視線を誘導する固視灯表示装置が付随している。
【００１４】
本実施例では、被検眼による光学収差を空間光変調器を用いて補正して平面画像を取得するＡＯＳＬＯ装置が構成され、被検眼の視度や被検眼による光学収差によらず良好な平面画像が得られるようにされている。
【００１５】
ここでは、高横分解能の平面画像を撮像するために、補償光学系を備えているが、高解像度を実現できる光学系の構成であれば、補償光学系を備えていなくてもよい。
【００１６】
＜装置全体構成＞
図１を用いて、まず、本実施例におけるＡＯＳＬＯ装置１０１の概略構成について具体的に説明する。
【００１７】
ＡＯＳＬＯ装置１０１は、大まかには、主要な光学系を内蔵するヘッド部１０２、ヘッド部１０２を水平垂直方向に移動させるステージ部１０３、被検者の顔を乗せ位置を調整する顔受け部１０４、操作画面を表示する液晶モニター１０５、およびＡＯＳＬＯ装置１０１全体を制御する制御ＰＣ１０６からなる。
【００１８】
ヘッド部１０２は、ステージ部１０３上に設置され、ジョイスティック１０７を倒すことによって水平方向に、回転させることによって垂直方向に移動できる。顔受け部１０４は、顎を乗せる顎受け１０８と電動ステージによって顎受け１０８を移動させる顎受け駆動部１０９からなる。
【００１９】
＜光学系の構成＞
次に、図２を用いて、ヘッド部１０２に内蔵される光学系について、具体的に説明する。
【００２０】
光源２０１−１から出射した光は、光カプラー２３１によって参照光２０５と測定光２０６−１とに分割される。測定光２０６−１（第一の測定光）は、シングルモードファイバー２３０−４、空間光変調器２５９、ＸＹスキャナ２１９−１、ダイクロイックミラー２７０−１等を介して観察対象である被検眼２０７に導かれる。
【００２１】
２５６は固視灯であり、固視灯２５６からの光束２５７は、被検眼２０７の固視あるいは回旋を促す役割を有する。
【００２２】
測定光２０６−１は、被検眼２０７によって反射あるいは散乱された戻り光２０８（第一の戻り光）となり、光路を逆行し、光カプラー２３１を介して、ディテクター２３８−１に入射される。ディテクター２３８−１（第一の撮像部）は、戻り光２０８の光強度を電圧に変換し、その信号を用いて、被検眼２０７の平面画像（第一の画像）が構成される。本実施例では、光学系の全体を主にレンズを用いた屈折光学系を用いて構成しているが、レンズの代わりに球面ミラーを用いた反射光学系によっても構成することができる。
【００２３】
また、本実施例では、収差補正デバイスとして反射型の空間光変調器を用いたが、透過型の空間光変調器や、可変形状ミラーを用いても構成することができる。
【００２４】
＜ＡＯＳＬＯ部の光源＞
つぎに、光源２０１−１の周辺について説明する。光源２０１−１は、代表的な低コヒーレント光源であるＳＬＤ（Ｓｕｐｅｒ  Ｌｕｍｉｎｅｓｃｅｎｔ  Ｄｉｏｄｅ）である。波長は８４０ｎｍバンド幅５０ｎｍである。ここでは、スペックルノイズの少ない平面画像を取得するために低コヒーレント光源を選択している。また、光源の種類は、ここでは、ＳＬＤを選択したが低コヒーレント光が出射できればよくＡＳＥ（Ａｍｐｌｉｆｉｅｄ  Ｓｐｏｎｔａｎｅｏｕｓ  Ｅｍｉｓｓｉｏｎ）等も用いることができる。
【００２５】
また、波長は眼を測定することを鑑みると、近赤外光が適する。さらに、波長は得られる平面画像の横方向の分解能に影響するため、なるべく短波長であることが望ましく、ここでは８４０ｎｍとする。観察対象の測定部位によっては他の波長を選んでも良い。
【００２６】
光源２０１−１から出射された光は、シングルモードファイバー２３０−１と光カプラー２３１とを介して、参照光２０５と測定光２０６−１とに９０：１０の割合で分割される。２５３は偏光コントローラである。
【００２７】
＜ＡＯＳＬＯ部の参照光路＞
次に、参照光２０５の光路について説明する。
【００２８】
光カプラー２３１によって分割された参照光２０５は、光ファイバー２３０−２を介して、光量測定装置２６４に入射される。光量測定装置２６４は参照光２０５の光量を測定し、測定光２０６−１の光量をモニターする用途に用いられる。
【００２９】
＜ＡＯＳＬＯ部の測定光路＞
次に、測定光２０６−１の光路について説明する。
【００３０】
光カプラー２３１によって分割された測定光２０６−１（第一の測定光）は、シングルモードファイバー２３０−４を介してレンズ２３５−１に導かれ、ビーム径４ｍｍの平行光になるよう調整される。
【００３１】
測定光２０６−１は、ビームスプリッタ２５８−１を通過し、レンズ２３５−５〜６を通過し、空間光変調器２５９に入射される。
【００３２】
ここで、空間光変調器２５９は、制御ＰＣ１０６からドライバ部２８１内の空間光変調器駆動ドライバ２８８を介して制御される。
【００３３】
次に、測定光２０６−１は、空間光変調器２５９にて変調され、レンズ２３５−７〜８を通過し、ＸＹスキャナ２１９−１のミラーに入射される。ここでは、簡単のため、ＸＹスキャナ２１９−１は一つのミラーとして記したが、実際にはＸスキャナとＹスキャナとの２枚のミラーが近接して配置され、網膜２２７上を光軸に垂直な方向にラスタースキャンするものである。また、測定光２０６−１の中心は、ＸＹスキャナ２１９−１のミラーの回転中心と一致するように調整されている。
【００３４】
ここで、Ｘスキャナは測定光２０６−１を紙面に平行な方向に走査するスキャナであり、ここでは共振型スキャナを用いている。駆動周波数は約７．９ｋＨｚである。またＹスキャナは、測定光２０６−１を紙面に垂直な方向に走査するスキャナであり、ここではガルバノスキャナを用いている。駆動波形はのこぎり波であり、周波数は３２Ｈｚ、デューティ比は１６％である。Ｙスキャナの駆動周波数は、ＡＯＳＬＯ像の撮像のフレームレートを決定する重要なパラメータである。
【００３５】
ここで、ＸＹスキャナ２１９−１は制御ＰＣ１０６からドライバ部２８１内の光スキャナ駆動ドライバ２８２を介して制御される。
【００３６】
レンズ２３５−９〜１０は、網膜２２７を走査するための光学系であり、測定光２０６−１を被検眼２０７の瞳孔中心を支点として、網膜２２７をスキャンする役割がある。
【００３７】
ここで、測定光２０６−１のビーム径は４ｍｍであるが、より高分解能な光画像を取得するためにビーム径はより大径化してもよい。
【００３８】
また、２１７−１は電動ステージであり、矢印で図示している方向に移動することができ、付随するレンズ２３５−１０の位置を動かし、フォーカスを調整することができる。
【００３９】
ここで、電動ステージ２１７−１は、制御ＰＣ１０６からドライバ部２８１内の電動ステージ駆動ドライバ２８３を介して制御される。
【００４０】
レンズ２３５−１０の位置を調整することで、被検眼２０７の網膜２２７の所定の層に、測定光２０６−１を合焦し観察することが可能になる。
【００４１】
また、被検眼２０７が屈折異常を有している場合にも対応できる。
【００４２】
測定光２０６−１は、被検眼２０７に入射すると、網膜２２７からの反射や散乱により、戻り光２０８（第一の戻り光）となり再び光カプラー２３１に導かれ、シングルモードファイバー２３０−３を介してディテクター２３８−１に到達する。ディテクター２３８−１（第一の撮像部）は、例えば高速・高感度な光センサであるＡＰＤ（Ａｖａｌａｎｃｈｅ  Ｐｈｏｔｏ  Ｄｉｏｄｅ）やＰＭＴ（Ｐｈｏｔｏｍｕｌｔｉｐｌｉｅｒ  Ｔｕｂｅ）が用いられる。ディテクター２３８−１（第一の撮像部）によって、第一の画像が取得される。
【００４３】
＜ＷＦＳＬＯ部全体＞
次に、ＷＦＳＬＯ部について説明する。
【００４４】
ＷＦＳＬＯ部は基本的にＡＯＳＬＯ部と同様の構成となっている。重複する部分ついては説明を省略する。
【００４５】
光源２０１−２から出射した光は、レンズ２３５−２、１１〜１４、ＸＹスキャナ２１９−２、ダイクロイックミラー２７０−１〜３等を介して観察対象である被検眼２０７に導かれる。光源２０１−２は、ＡＯＳＬＯ部と同様にＳＬＤである。波長は９２０ｎｍバンド幅２０ｎｍである。
【００４６】
＜ＷＦＳＬＯ部の測定光路＞
次に、測定光２０６−２の光路について説明する。
【００４７】
光源２０１−２から射出された測定光２０６−２は、レンズ２３５−２、１１〜１４、ＸＹスキャナ２１９−２、ダイクロイックミラー２７０−１等を介して観察対象である被検眼２０７に導かれる。
【００４８】
ここで、ＸＹスキャナ２１９−２の構成要素であるＸスキャナは、測定光２０６−２を紙面に平行な方向に走査するスキャナであり、ここでは共振型スキャナを用いている。駆動周波数は約３．９ｋＨｚである。また、Ｙスキャナは測定光２０６−２を紙面に垂直な方向に走査するスキャナであり、ここでは、ガルバノスキャナを用いている。駆動波形はのこぎり波であり、周波数は１５Ｈｚ、デューティ比は１６％である。Ｙスキャナの駆動周波数は、ＷＦＳＬＯ像のフレームレートを決定する重要なパラメータである。
【００４９】
ここで、測定光２０６−２のビーム径は１ｍｍであるが、より高分解能な光画像を取得するために、ビーム径はより大径化してもよい。
【００５０】
測定光２０６−２は、被検眼２０７に入射すると網膜２２７からの反射や散乱により戻り光２０８となりダイクロイックミラー２７０−１〜３、レンズ２３５−２〜４、１３〜１４、ＸＹスキャナ２１９−２、ビームスプリッタ２５８−２等を介してディテクター２３８−２に到達する。
【００５１】
＜ビーコン部の説明＞
次に、被検眼２０７の収差を測定するためのビーコン部について説明する。
【００５２】
光源２０１−３から射出された測定光２０６−３は、レンズ２３５−１５〜１６、ダイクロイックミラー２７０−１〜２、４等を介して観察対象である被検眼２０７に導かれる。ここで、測定光２０６−３は、角膜２２６からの反射を避けるために、被検眼２０７の中心から偏心して入射される。戻り光２０８の一部は、ダイクロイックミラー２５８−１、ピンホール２９８を介して、波面センサ２５５に入射され、被検眼２０７で発生する戻り光２０８の収差が測定される。ここで、ピンホール２９８は、戻り光２０８以外の不要光を遮蔽する目的で設置されている。波面センサ２５５は、制御ＰＣ１０６に電気的に接続されている。波面センサ２５５は、シャックハルトマン方式の波面センサであり、測定レンジは−１０Ｄ〜＋５Ｄとなっている。得られた収差は、ツェルニケ多項式を用いて表現され、これは被検眼２０７の収差を示している。ツェルニケ多項式はチルト（傾き）の項、デフォーカスの項、アスティグマ（非点収差）の項、コマの項、トリフォイルの項等からなる。なお、光源２０１−３の中心波長は７６０ｎｍ、波長幅は２０ｎｍである。
【００５３】
ここで、角膜２２６とＸＹスキャナ２１９−１と波面センサ２５５と空間光変調器２５９とは光学的に共役になるようレンズ２３５−５〜１０等が配置されている。そのため、波面センサ２５５は、被検眼２０７の収差を測定することが可能になっている。また、空間光変調器２５９は被検眼２０７の収差を補正することが可能になっている。
【００５４】
＜固視灯部＞
固視灯２５６は、発光型のディスプレイモジュールからなり表示面（□２７ｍｍ、１２８×１２８画素）をＸＹ平面に有する。ここでは、液晶、有機ＥＬ、ＬＥＤアレイ等を用いることができる。被検眼２０７が、固視灯２５６からの光束２５７を注視することで、被検眼２０７の固視あるいは回旋が促される。固視灯２５６の表示面には例えば図２（ｂ）に示すように、任意の点灯位置２６５に十字のパターンが点滅して表示される。
【００５５】
固視灯２５６からの光束２５７は、レンズ２３５−１７〜１８、ダイクロイックミラー２７０−１〜３を介して網膜２２７に導かれる。また、レンズ２３５−１７、１８は、固視灯２５６の表示面と網膜２２７とが光学的に共役になるよう配置される。また、固視灯２５６は、制御ＰＣ１０６からドライバ部２８１内の固視灯駆動ドライバ２８４を介して制御される。
【００５６】
＜前眼部観察部＞
次に、前眼部観察部について説明する。
【００５７】
前眼部照明光源２０１−４から照射された光は、被検眼２０７を照らし、その反射光がダイクロイックミラー２７０−１〜２、４、レンズ２３５−１９〜２０を介してＣＣＤカメラ２６０に入射する。光源２０１−４は中心波長７４０ｎｍのＬＥＤである。
【００５８】
＜フォーカス、シャッター、乱視補正＞
以上のように、ヘッド部１０２に内蔵される光学系は、ＡＯＳＬＯ部、ＷＦＳＬＯ部、ビーコン部、固視灯部、前眼部観察部からなる。この中でＡＯＳＬＯ部、ＷＦＳＬＯ部、ビーコン部、固視灯部はそれぞれ個別に電動ステージ２１７−１〜４を持ち、４つの電動ステージを連動させて動かしている。ただし、個別にフォーカス位置を調整したい場合には、個別に電動ステージを動かすことで調整可能である。
【００５９】
また、ＡＯＳＬＯ部、ＷＦＳＬＯ部、ビーコン部はそれぞれシャッター（不図示）を備え、シャッターの開閉により個別に被検眼２０７に入射させるか否かを制御できる。ここではシャッターを用いたが、光源２０１−１〜３を直接ＯＮ／ＯＦＦすることにより、制御することもできる。同様に、前眼部観察部、固視灯部についても、光源２０１−４および固視灯２５６のＯＮ／ＯＦＦにより制御可能である。
【００６０】
また、２３５−１０のレンズは交換可能になっており、被検眼２０７による収差（屈折異常）に合わせて球面レンズやシリンドリカルレンズを用いることができる。また１個のレンズに限らず、複数のレンズを組み合わせて設置することも可能である。
【００６１】
＜波長＞
ＡＯＳＬＯ部、ＷＦＳＬＯ部、ビーコン部、固視灯部、前眼部観察部に用いられている光源の波長分布を図３に示す。それぞれの光をダイクロイックミラー２７０−１〜４で分けるために、それぞれ異なる波長帯になるようにしている。なお、図３は各光源の波長の違いを示すものであり、その強度およびスペクトル形状を規定するものではない。
【００６２】
＜画像化＞
次に、撮像画像の構成方法について説明する。
【００６３】
ディテクター２３８−１において入射された光は、光の強度が電圧に変換される。ディテクター２３８−１で得られた電圧信号は、制御ＰＣ１０６内のＡＤボード２７６−１にてデジタル値に変換され、制御ＰＣ１０６にて、ＸＹスキャナ２１９−１の動作や駆動周波数と同期したデータ処理が行われ、ＡＯＳＬＯ像が形成される。ここで、ＡＤボード２７６−１の取り込み速度は１５ＭＨｚである。同様に、ディテクター２３８−２で得られた電圧信号は、制御ＰＣ１０６内のＡＤボード２７６−２にてデジタル値に変換され、ＷＦＳＬＯ像が形成される。
【００６４】
＜撮像手順＞
次に、本実施例のＡＯＳＬＯ装置における撮像手順について図４〜５を用いて説明する。
図４に撮像手順を示す。以下に、各工程について詳しく述べる。
【００６５】
（工程１）装置を立ち上げ各種確認を行う
制御ＰＣ１０６及びＡＯＳＬＯ装置の電源を入れる。次に、測定用の制御ソフトを起動すると、図５（ａ）に示す制御ソフト画面が液晶モニター１０５に表示される。ここで被検者に顔を顔受け部１０４にセットしてもらう。
【００６６】
（工程２）前眼部画像を取得する
制御ソフト画面の実行ボタン５０１を押すと、前眼部モニター５１２に前眼部の画像が表示される。画面中央に瞳孔の中心が正しく表示されていない場合は、まずジョイスティック１０７を用いてヘッド部１０２を略正しい位置に動かす。さらに調整が必要な場合は、制御画面上の電動ステージボタン５０３を押し、顎受け駆動部１０９を微動させる。
【００６７】
（工程３）ＷＦＳＬＯ像を取得する
略正しい状態で前眼部画像が表示された場合、ＷＦＳＬＯ像がＷＦＳＬＯモニター５１５に表示される。固視灯位置モニター５１３で固視灯を中央位置に設定し、被検眼２０７の視線を中心に誘導する。
【００６８】
ここで、固視灯位置モニター５１３は、図５（ｂ）、（ｃ）に示すように、マップ状の固視灯設定画面５２５上をクリックして、被検眼２０７の網膜に対応する位置を指定する形態となっている。固視灯設定画面５２５の中心が中心窩に対応している。また、固視灯設定画面５２５は単位を角度（ｄｅｇ．）と長さ（ｍｍ）とをタブで選択することができる。
【００６９】
次に、ＷＦＳＬＯ強度モニター５１６を見ながら、フォーカス調整ボタン５０４を調整して、ＷＦＳＬＯ強度が大きくなるように調整する。ここで、ＷＦＳＬＯ強度モニター５１６には横軸時間、縦軸信号強度でＷＦＳＬＯ部で検出された信号強度が時系列に表示されている。ここで、フォーカス調整ボタン５０４を調整することで、レンズ２３５−１０、１４、１６、１８の位置が同時に調整される。
【００７０】
ＷＦＳＬＯ像が鮮明に表示された場合、ＷＦＳＬＯ記録ボタン５１７を押して、ＷＦＳＬＯデータを保存する。
【００７１】
（工程４）ＡＯＳＬＯ像取得位置を決定する
表示されたＷＦＳＬＯ像を確認し、ＡＯＳＬＯ像を取得したい位置を後述の手段を用いて決める。次に、その位置がＷＦＳＬＯモニター５１５の中央にくるように被検眼２０７の視線を誘導する。
【００７２】
ＡＯＳＬＯ像を取得する位置を決める手段は２通りあり、一つは固視灯位置モニター５１３において固視灯の位置を指示する方法、もう一つはＷＦＳＬＯモニター５１５において所望の位置をクリックする方法である。ＷＦＳＬＯモニター５１５上の画素と固視灯の位置を関連付けており、固視灯の位置が自動的に移動し、視線を所望の位置に誘導することができる。また、ＷＦＳＬＯモニター５１５上をクリックして得られた固視灯の位置に基づいて、固視灯位置モニター５１３上の固視灯の位置が更新される。
ＡＯＳＬＯ像を取得したい位置がＷＦＳＬＯモニター５１５上中央に移動したのを確認して、次の工程に移る。
【００７３】
（工程５）収差補正を行う
収差測定ボタン５０６を押すと、ＷＦＳＬＯ測定光である測定光２０６−２が遮断され、ビーコン光のシャッターが開いてビーコン光である測定光２０６−３が被検眼２０７に照射される。波面センサモニター５１４に波面センサ２５５で検出されたハルトマン像が表示される。このハルトマン像から計算された収差が収差補正モニター５１１に表示される。収差はデフォーカス（ｄｅｆｏｃｕｓ）成分（μｍ単位）と、全ての収差量（μｍＲＭＳ単位）に分けて表示される。ここで、工程３において、ＡＯＳＬＯ測定光とビーコン光のフォーカスレンズであるレンズ２３５−１０、１６の位置が調整されているため、この工程での収差測定が可能な状態になっている。
【００７４】
ここで自動フォーカスボタン５２１を押すと、デフォーカスの値が小さくなるようにレンズ２３５−１０、１４、１６、１８の位置が自動的に調整される。
【００７５】
次に収差補正ボタン５２２を押すと、収差量が小さくなる方向に自動的に空間光変調器２５９が調整され、リアルタイムに収差量の値が表示される。ここで、収差量の値が事前に決めておいた閾値（０．０３μｍＲＭＳ）以下になると自動的にＡＯＳＬＯ測定ボタン５０７が押され、次の工程に移動する。ここで、収差量の閾値は任意に設定できる。また、閾値以下にならない場合には、収差補正一時停止ボタン５０８を押し、収差補正を停止したのち、ＡＯＳＬＯ測定ボタン５０７を押すことにより次の工程に移動する。
【００７６】
（工程６）ＡＯＳＬＯ像を取得する
ＡＯＳＬＯ測定ボタン５０７が押されると、ビーコン光である測定光２０６−３が遮断され、ＡＯＳＬＯ測定光のシャッターが開いてＡＯＳＬＯ測定光である測定光２０６−１が被検眼２０７に照射される。ＡＯＳＬＯモニター５１８に収差補正済みのＡＯＳＬＯ像が表示される。また、ＡＯＳＬＯ強度モニター５１９に、ＷＦＳＬＯ強度モニター５１６と同様に、ＡＯＳＬＯ部で検出された信号強度が時系列に表示される。
【００７７】
信号強度が不十分な場合には、ＡＯＳＬＯ強度モニター５１９を見ながらフォーカス、顎受け位置を調整し、信号強度が大きくなるように調整する。
【００７８】
また、撮像条件設定ボタン５２３によって、撮像画角、フレームレート、撮像時間を指定することができる。
【００７９】
また、深さ調整ボタン５２４を調整して、レンズ２３５−１０を移動させ、被検眼２０７の深さ方向の撮像範囲を調整することができる。具体的には、視細胞層や神経線維層や色素上皮層等の所望の層の像を取得することができる。
【００８０】
また、撮像位置が所望の位置と異なる場合には、固視灯位置モニター５１３を用いて、ユーザー指示に基づき点灯位置設定手段によって、撮像位置を微調整することができる。
【００８１】
ＡＯＳＬＯ像が鮮明に表示された場合、ＡＯＳＬＯ記録ボタン５２０を押して、ＡＯＳＬＯデータを保存する。その後、測定光２０６−１は遮断される。
【００８２】
（工程７）次の動作を選択する
撮像位置の変更を行う場合には工程４に、左右眼の切り替えを行う場合には工程２に戻る。撮像を終了する場合には、次の工程に移動する。
【００８３】
（工程８）終了する
ＳＴＯＰボタン５０２を押すと、制御ソフトが停止する。
【００８４】
＜画像の確認＞
次に、本実施例のＡＯＳＬＯ装置において撮像したデータを画像化して確認する方法について図６を用いて説明する。
【００８５】
撮像した画像データを可視化するビューワーソフトを起動すると、図６に示すビューワーソフト画面（インターフェース画面）が液晶モニター１０５に表示される。
【００８６】
保存されたＷＦＳＬＯデータ、もしくはＡＯＳＬＯデータを読み込んで画像化することができる。
【００８７】
測定時間によって撮像枚数が変わるが、時間順に画像番号が付けられる。画像番号選択部６０２によって指定された画像番号の画像が画像表示部６０１に表示される。画質調整部６０３には、画像の明るさ、コントラスト、ガンマの調整を行うためのつまみがあり、左右にスライドさせることで画質を調整することができる。
【００８８】
また、撮像時に固視灯モニター５１３を用いて指定した位置が、固視灯ビューワー６１３に表示される。座標６２５は、図に示す通り、碁盤目状に表示される。ここでも、位置の座標の単位を角度（ｄｅｇ．）と長さ（ｍｍ）とをタブ切替えによって選択することができる。角度と長さを切り替えることで、視野計や眼底カメラ等の他の検査機器と結果の比較がしやすくすることができる。
【符号の説明】
【００８９】
１０１  ＡＯＳＬＯ装置
１０２  ヘッド部
１０３  ステージ部
１０４  顔受け部
１０５  液晶モニター
１０６  制御ＰＣ
【図１】
0006045200.tif 000002
【図２】
0006045200.tif 000003
【図３】
0006045200.tif 000004
【図４】
0006045200.tif 000005
【図５】
0006045200.tif 000006
【図６】
0006045200.tif 000007